(57)【要約】【課題】  振動が与えられても、缶の転倒、蓋の解放を容易に防止できるようにする。【解決手段】  缶Ａを載置可能な下枠体２と、前記缶Ａに載置可能な上枠体３と、前記下枠体２と上枠体３とを連結固定する左右一対の側枠体４とを有する。前記下枠体２は外周の矩形状外枠部材６と、この外枠部材６の内側でその上面が外枠部材６より１段下がった中枠部材７と、前記外枠部材６の角部に上方突出状に設けた側枠体４用の連結材８とを有する。前記上枠体３は外周の矩形状の上外枠部材３Ａと、この上外枠部材３Ａの内側でその下面が上外枠部材３Ａより１段上がった上中枠部材３Ｂとを有する。【選択図】図１
2009113825.tif 000002
【特許請求の範囲】
【請求項１】
缶（Ａ）を載置可能な下枠体（２）と、前記缶（Ａ）に載置可能な上枠体（３）と、前記下枠体（２）と上枠体（３）とを連結固定する左右一対の側枠体（４）とを有することを特徴とする缶用パレット。
【請求項２】
前記下枠体（２）は外周の矩形状外枠部材（６）と、この外枠部材（６）の内側でその上面が外枠部材（６）より１段下がった中枠部材（７）と、前記外枠部材（６）の角部に上方突出状に設けた側枠体（４）用の連結材（８）とを有し、
前記上枠体（３）は外周の矩形状の上外枠部材（３Ａ）と、この上外枠部材（３Ａ）の内側でその下面が上外枠部材（３Ａ）より１段上がった上中枠部材（３Ｂ）とを有することを特徴とする請求項１に記載の缶用パレット。
【請求項３】
前記下枠体（２）及び上枠体（３）を平面視矩形状に形成し、それらに側枠体（４）を連結して矩形体の２側面を形成し、これら矩形体構成部材を複数組水平に隣接して下枠体（２）相互を連結していることを特徴とする請求項１又は２に記載の缶用パレット。
【請求項４】
前記下枠体（２）は、外周の１面に隣接する下枠体（２）の結合部（９）を受ける結合受部（１０）を有するとともに、外周の他面に隣接する下枠体（２）の結合受部（１０）に結合される結合部（９）を有することを特徴とする請求項３に記載の缶用パレット。
【請求項５】
前記下枠体（２）及び上枠体（３）を平面視矩形状に形成し、それらに側枠体（４）を連結して矩形体の２側面を形成し、これら矩形体構成部材を複数組上下に積み重ねて、下側の側枠体（４）の上部に上側の下枠体（２）を着脱自在に連結していることを特徴とする請求項１に記載の缶用パレット。
【請求項６】
前記左右各側枠体（４）は上部に前後一対の上連結部（１２）と、両上連結部（１２）間に位置する支持部（１３）とを有し、前記下枠体（２）の左右側部に前記積み重ねで下に位置する側枠体（４）の前後上連結部（１２）と着脱自在に連結する下連結部（１４）と前記支持部（１３）に嵌合する嵌合部（１５）とを有することを特徴とする請求項５に記載の缶用パレット。
【請求項７】
前記側枠体（４）の上連結部（１２）に係止部（１７）を設け、前記下枠体（２）の下面にフォーク爪（Ｂ）を挿入するフォークガイド（１１）を設けるとともに前記下枠体（２）の下連結部（１４）に前記積み重ねで下に位置する上連結部（１２）の係止部（１７）と係脱自在に係止する係止部材（１８）を設け、この係止部材（１８）と前記フォークガイド（１１）との間にフォーク爪（Ｂ）の挿入により係止部材（１８）を係止解除させ、フォーク爪（Ｂ）の離脱により係止部材（１８）を係止させる連動手段（１９）を設けていることを特徴とする請求項６に記載の缶用パレット。
【請求項８】
前記下枠体（２）は嵌合部（１５）を設けた部位の上面側に、上枠体（３）及び側枠体（４）を外した状態で下枠体（２）を上下に積み重ねたときに上側の下枠体（２）の嵌合部（１５）を載置支持する段積み受け部材（２０）を有することを特徴とする請求項６に記載の缶用パレット。
【発明の詳細な説明】
【技術分野】
【０００１】
本発明は、ドラム缶等を保管、運搬するための缶用パレットに関する。
【背景技術】
【０００２】
この種の従来技術において、缶を保管したり運搬したりするパレットは、板状部材の上側に缶を載置して、水平方向の位置決めはできるようになっている（例えば、特許文献１参照。）。
【特許文献１】特開２００３−３１２６６２公報
【発明の開示】
【発明が解決しようとする課題】
【０００３】
前記従来技術は、板状部材の上の缶は上部が自由になっており、振動等により転倒したり、蓋が開いたりする可能性がある。
本発明は、このような従来技術の問題点を解決できるようにした缶用パレットを提供することを目的とする。
本発明は、振動が与えられても、缶の転倒、蓋の解放を容易に防止できる缶用パレットを提供することを目的とする。
【課題を解決するための手段】
【０００４】
本発明における課題解決のための具体的手段は、次の通りである。
第１に、缶Ａを載置可能な下枠体２と、前記缶Ａに載置可能な上枠体３と、前記下枠体２と上枠体３とを連結固定する左右一対の側枠体４とを有することを特徴とする。
第２に、前記下枠体２は外周の矩形状外枠部材６と、この外枠部材６の内側でその上面が外枠部材６より１段下がった中枠部材７と、前記外枠部材６の角部に上方突出状に設けた側枠体４用の連結材８とを有し、
前記上枠体３は外周の矩形状の上外枠部材３Ａと、この上外枠部材３Ａの内側でその下面が上外枠部材３Ａより１段上がった上中枠部材３Ｂとを有することを特徴とする。
【０００５】
第３に、前記下枠体２及び上枠体３を平面視矩形状に形成し、それらに側枠体４を連結して矩形体の２側面を形成し、これら矩形体構成部材を複数組水平に隣接して下枠体２相互を連結していることを特徴とする。
第４に、前記下枠体２は、外周の１面に隣接する下枠体２の結合部９を受ける結合受部１０を有するとともに、外周の他面に隣接する下枠体２の結合受部１０に結合される結合部９を有することを特徴とする。
第５に、前記下枠体２及び上枠体３を平面視矩形状に形成し、それらに側枠体４を連結して矩形体の２側面を形成し、これら矩形体構成部材を複数組上下に積み重ねて、下側の側枠体４の上部に上側の下枠体２を着脱自在に連結していることを特徴とする。
【０００６】
第６に、前記左右各側枠体４は上部に前後一対の上連結部１２と、両上連結部１２間に位置する支持部１３とを有し、前記下枠体２の左右側部に前記積み重ねで下に位置する側枠体４の前後上連結部１２と着脱自在に連結する下連結部１４と前記支持部１３に嵌合する嵌合部１５とを有することを特徴とする。
第７に、前記側枠体４の上連結部１２に係止部１７を設け、前記下枠体２の下面にフォーク爪Ｂを挿入するフォークガイド１１を設けるとともに前記下枠体２の下連結部１４に前記積み重ねで下に位置する上連結部１２の係止部１７と係脱自在に係止する係止部材１８を設け、この係止部材１８と前記フォークガイド１１との間にフォーク爪Ｂの挿入により係止部材１８を係止解除させ、フォーク爪Ｂの離脱により係止部材１８を係止させる連動手段１９を設けていることを特徴とする。
【０００７】
第８に、前記下枠体２は嵌合部１５を設けた部位の上面側に、上枠体３及び側枠体４を外した状態で下枠体２を上下に積み重ねたときに上側の下枠体２の嵌合部１５を載置支持する段積み受け部材２０を有することを特徴とする。
［作用］
下枠体２の中枠部材７上に複数の缶Ａ（ドラム缶）を載置し、その缶Ａ上に上枠体３を載置し、下枠体２の左右側部に側枠体４を配置し、この側枠体４の前後下部を下枠体２の前記連結材８に連結し、側枠体４の上部内面を上枠体３に連結すると、下枠体２、上枠体３及び左右側枠体４は矩形体を構成し、左右側枠体４は矩形体の２側面を形成し、上枠体３は缶Ａ（ドラム缶）の蓋の解放防止をした状態で保持することができる。
【発明の効果】
【０００８】
本発明によれば、ドラム缶等の缶の保管・運搬を容易にすることができる。
【発明を実施するための最良の形態】
【０００９】
以下、本発明の実施の形態を図面に基づいて説明する。
図１〜１７において、パレット１は大別して、缶Ａ（例えば、ドラム缶）を載置可能な下枠体２と、前記缶Ａに載置可能な上枠体３と、前記下枠体２と上枠体３とを連結固定する左右一対の側枠体４とを有する。
前記下枠体２は外周の矩形状外枠部材６と、この外枠部材６の内側でその上面が外枠部材６より１段下がった格子状の中枠部材７と、前記外枠部材６の角部に上方突出状に設けた側枠体４用の連結材８とを有する。
【００１０】
前記外枠部材６と中枠部材７の上面の段差は１０ｍｍ程度で、中枠部材７上に載置された缶Ａが水平方向に移動しようとしたときに、外枠部材６がそれを規制できるようになっている。
外枠部材６及び連結材８は角パイプが使用されていて、連結材８の２面に縦横の外枠部材６の端部が溶着等により固定されている。側枠体４は角パイプを門型に連結し、前後一対の支柱４Ａの下端に連結材８に挿入連結する連結杆４ａを設け、この前後支柱４Ａの上端を連結する上横材４Ｂの上面に丸パイプ４ｂを固着して支持部１３を形成している。また、前後支柱４Ａの上部内面には逆Ｕ字形状のフック４Ｃを設けている。
【００１１】
外枠部材６上には、連結材８に連結杆４ａを嵌入した状態でロックする下連結手段１６が設けられており、この下連結手段１６はロックピン１６ａを外枠部材６に対して移動及び回動自在に支持しかつスプリング１６ｂで連結材８側に付勢しており、ロックピン１６ａの先端は連結材８と連結杆４ａとに貫通可能であり、人為的にロックピン１６ａの先端を連結材８から抜くことにより連結杆４ａの抜けだしが可能になる。
前記上枠体３は外周の矩形状の上外枠部材３Ａと、この上外枠部材３Ａの内側でその下面が上外枠部材３Ａより１段上がった上中枠部材３Ｂとを有する。また、上外枠部材３Ａの前後面の左右側部には筒部材を溶着して前記側枠体４のフック４Ｃが上から挿入可能なフック結合部３Ｃが設けられており、前記フック４Ｃ及びフック結合部３Ｃが上枠体３と側枠体４の上部連結手段を構成している。
【００１２】
この上枠体３は、前記上外枠部材３Ａと上中枠部材３Ｂとの下面の段差は２０ｍｍ程度で、上中枠部材３Ｂ下に載置された缶Ａが水平方向に移動しようとしたときに、上外枠部材３Ａがそれを規制できるようになっている。また、上中枠部材３Ｂは缶Ａの蓋の上に載置されるので、蓋の解放を阻止することができる。
前記下枠体２及び上枠体３を平面視矩形状に形成し、それらに側枠体４を連結して矩形体の２側面を形成し、これら下枠体２、上枠体３及び左右側枠体４等のによって矩形体が構成され、この矩形体を図１２に示すように、複数組水平に配置して互いに隣接すると隙間なく組み合わせることができる。そして隣接する矩形体の下枠体２相互を連結することにより、多数の缶Ａを保管するパレット集合体を構成できる。
【００１３】
前記下枠体２は、外周の１面に隣接する下枠体２の結合部９を受ける結合受部１０を有するとともに、外周の他面に隣接する下枠体２の結合受部１０に結合される結合部９を有する。
前記結合部９はアングル材を逆ハの字形状に配置した形状であり、結合受部１０はチャンネル材を逆ハの字形状に配置した形状（又は板材の２縁を折り曲げた形状）であり、結合部９は結合受部１０に上から挿入すると、下方向、前後方向及び左右方向の位置が規制され、隣接下枠体２同士を水平方向で連結できる。
【００１４】
この結合部９及び結合受部１０は、各下枠体２に１つずつ設けていてもよいが、実施の形態ではそれぞれ２側面ずつに設けている。
前記下枠体２及び上枠体３を平面視矩形状に形成し、それらに側枠体４を連結して矩形体の２側面を形成し、これら矩形体構成部材を図１３に示すように、複数組上下に積み重ねて、下側の側枠体４の上部に上側の下枠体２を着脱自在に連結している。
前記左右各側枠体４は上部に前後一対の上連結部１２と、両上連結部１２間に位置する支持部１３とを有し、前記下枠体２の左右側部に前記積み重ねで下に位置する側枠体４の前後上連結部１２と着脱自在に連結する下連結部１４と前記支持部１３に嵌合する嵌合部１５とを有する。
【００１５】
前記側枠体４の上連結部１２に係止部１７を設け、前記下枠体２の下面にフォーク爪Ｂを挿入するフォークガイド１１を設けるとともに前記下枠体２の下連結部１４に前記積み重ねで下に位置する上連結部１２の係止部１７と係脱自在に係止する係止部材１８を左右に前後一対計４本の設け、この係止部材１８と前記フォークガイド１１との間にフォーク爪Ｂの挿入により係止部材１８を係止解除させ、フォーク爪Ｂの離脱により係止部材１８を係止させる連動手段１９を設けている。
前記下枠体２の外枠部材６の左右側部下面には２個のブロック２２を介して断面山形状のチャンネル材を溶着して嵌合部１５が形成されており、前記２個のブロック２２にピン形状の係止部材１８が長手方向移動自在に挿通され、スプリング（図示せず）によって前後外方に突出されている。
【００１６】
前記連動手段１９は図１６、１７等に示すように、前後一対の係止部材１８に連結された複数のリンク２３、ロッド２４及び押動板２５とを有し、この押動板２５はフォークガイド１１の前方に位置して挿入されるフォーク爪Ｂと当接可能になっており、この押動板２５がフォーク爪Ｂによって押動されると、複数のリンク２３及びロッド２４を介して４本の係止部材１８がスプリングに抗して係止部１７から抜けだし、係止を解除し、フォーク爪Ｂがフォークガイド１１から抜けると、スプリングの弾発力により係止部材１８が係止部１７に係合する。
【００１７】
前記下枠体２は嵌合部１５を設けた部位の上面側に、上枠体３及び側枠体４を外した状態で下枠体２を上下に積み重ねたときに上側の下枠体２の嵌合部１５を載置支持する段積み受け部材２０を有する。
なお、本発明は前記実施形態における各部材の形状及びそれぞれの前後・左右・上下の位置関係は、図１〜１７に示すように構成することが最良である。しかし、前記実施形態に限定されるものではなく、部材、構成を種々変形したり、組み合わせを変更したりすることもできる。
【図面の簡単な説明】
【００１８】
【図１】本発明の実施の形態を示す全体斜視図である。
【図２】平面図である。
【図３】正面図である。
【図４】側面図である。
【図５】平面図である。
【図６】下枠体の斜視図である。
【図７】下枠体の正面図である。
【図８】下枠体の側面図である。
【図９】上枠体の斜視図である。
【図１０】側枠体の斜視図である。
【図１１】下枠体の組立て前の説明図である。
【図１２】パレットを水平に組みかつ上下に積み重ねた説明斜視図である。
【図１３】パレットを上下に積み重ねた説明斜視図である。
【図１４】下連結手段の要部斜視図である。
【図１５】上下積み重ね構造を示す要部斜視図である。
【図１６】係止部材が係止状態のときの要部斜視図である。
【図１７】係止部材が係止解除した状態のときの要部斜視図である。
【符号の説明】
【００１９】
１        パレット
２        下枠体
３        上枠体
４        側枠体
【図１】
2009113825.tif 000003
【図２】
2009113825.tif 000004
【図３】
2009113825.tif 000005
【図４】
2009113825.tif 000006
【図５】
2009113825.tif 000007
【図６】
2009113825.tif 000008
【図７】
2009113825.tif 000009
【図８】
2009113825.tif 000010
【図９】
2009113825.tif 000011
【図１０】
2009113825.tif 000012
【図１１】
2009113825.tif 000013
【図１３】
2009113825.tif 000014
【図１２】
2009113825.tif 000015
【図１４】
2009113825.tif 000016
【図１５】
2009113825.tif 000017
【図１６】
2009113825.tif 000018
【図１７】
2009113825.tif 000019
【手続補正書】
【提出日】平成20年12月22日(2008.12.22)
【手続補正１】
【補正対象書類名】図面
【補正対象項目名】全図
【補正方法】変更
【補正の内容】
【図１】
2009113825.tif 000020
【図２】
2009113825.tif 000021
【図３】
2009113825.tif 000022
【図４】
2009113825.tif 000023
【図５】
2009113825.tif 000024
【図６】
2009113825.tif 000025
【図７】
2009113825.tif 000026
【図８】
2009113825.tif 000027
【図９】
2009113825.tif 000028
【図１０】
2009113825.tif 000029
【図１１】
2009113825.tif 000030
【図１２】
2009113825.tif 000031
【図１３】
2009113825.tif 000032
【図１４】
2009113825.tif 000033
【図１５】
2009113825.tif 000034
【図１６】
2009113825.tif 000035
【図１７】
2009113825.tif 000036